(57)【要約】【課題】  レーザー光の照射により記録される記録層を両面側に有する光記録媒体において、いずれの記録層へも所望の情報（画像）を正しく記録することができる光記録媒体及び記録方法を提供する。【解決手段】  レーザー光の照射により記録される記録層を両面側に有する光記録媒体であって、前記両面側の記録層それぞれに、各記録層に記録するための記録条件に対応する記録条件情報が付与されていて、該記録条件情報がそれぞれの記録層において異なることを特徴とする光記録媒体、及び該光記録媒体の記録層の記録条件情報に対応する記録条件に基づいて各記録層への記録を行うことを特徴とする記録方法である。【選択図】  なし【特許請求の範囲】
【請求項１】
レーザー光の照射により情報が記録される記録層を両面側に有する光記録媒体であって、
前記両面側の記録層それぞれに、各記録層に記録するための記録条件に対応する記録条件情報が付与されていて、該記録条件情報がそれぞれの記録層において異なることを特徴とする光記録媒体。
【請求項２】
前記記録条件情報が、マニュファクチャーコード及び／又は記録ストラテジー情報であることを特徴とする請求項１に記載の光記録媒体。
【請求項３】
前記両面側の記録層のうちの一方の記録層が符号情報を記録する符号情報記録層であり、他方の記録層が視認可能な画像情報を記録する画像情報記録層であることを特徴とする請求項１または２に記載の光記録媒体。
【請求項４】
前記両面側の記録層のいずれもが、符号情報を記録する符号情報記録層であることを特徴とする請求項１または２に記載の光記録媒体。
【請求項５】
前記両面側の符号情報記録層の構成又は記録材料が各面側において異なることを特徴とする請求項４に記載の光記録媒体。
【請求項６】
請求項１から５のいずれか１項に記載の光記録媒体への記録方法であって、前記記録層の記録条件情報に対応する記録条件に基づいて各記録層への記録を行うことを特徴とする記録方法。
【発明の詳細な説明】
【技術分野】
【０００１】
本発明は、両面側に記録層を有する光記録媒体及び該光記録媒体への記録方法に関する。
【背景技術】
【０００２】
従来から、レーザー光により一回限りの情報の記録が可能な光記録媒体（光ディスク）が知られている。この光ディスクは、追記型ＣＤ（所謂ＣＤ−Ｒ）とも称され、その代表的な構造は、透明な円盤状基板上に有機色素からなる記録層、金等の金属からなる光反射層、さらに樹脂製の保護層がこの順に積層状態で設けられている。そしてこのＣＤ−Ｒへの情報の記録は、近赤外域のレーザー光（通常は７８０ｎｍ付近の波長のレーザー光）をＣＤ−Ｒに照射することにより行われ、記録層の照射部分がその光を吸収して局所的に温度上昇し、物理的あるいは化学的変化（例えば、ピットの生成）が生じてその光学的特性を変えることにより、情報が記録される。一方、情報の読み取り（再生）もまた記録用のレーザー光と同じ波長のレーザー光を照射することにより行われ、記録層の光学的特性が変化した部位（記録部分）と変化しない部位（未記録部分）との反射率の違いを検出することにより情報が再生される。
【０００３】
近年、記録密度のより高い光記録媒体が求められている。このような要望に対して、追記型デジタル・ヴァーサタイル・ディスク（所謂ＤＶＤ−Ｒ）と称される光ディスクが提案されている。このＤＶＤ−Ｒは、照射されるレーザー光のトラッキングのための案内溝（プレグルーブ）がＣＤ−Ｒに比べて半分以下（０．７４〜０．８μｍ）と狭く形成された透明な円盤状基板上に、色素からなる記録層、そして通常は該記録層の上に光反射層、そしてさらに必要により保護層を設けてなるディスクを二枚、あるいは該ディスクと同じ形状の円盤状保護基板とを該記録層を内側にして接着剤で貼り合わせた構造を有している。ＤＶＤ−Ｒへの情報の記録再生は、可視レーザー光（通常は、６３０ｎｍ〜６８０ｎｍの範囲の波長のレーザー光）を照射することにより行われ、ＣＤ−Ｒより高密度の記録が可能であるとされている。
【０００４】
ところで、前記光ディスクには、デジタル情報や音楽データ等が記録される記録面とは反対側の面に、記録面に記録した音楽データの楽曲タイトルや、記録したデータを識別するためのタイトル等の可視情報を印刷したラベルを貼付したものが知られている。このような光ディスクは、プリンター等によって円形のラベルシート上にタイトル等を予め印刷し、当該ラベルシートを光ディスクの記録面とは反対側の面に貼付することにより作製される。
【０００５】
しかし、上述のようにタイトル等の所望の可視画像をレーベル面に記録した光ディスクを作製する場合には、光ディスクドライブとは別にプリンターが必要となる。従って、光ディスクドライブを用いて、ある光ディスクの記録面に記録を行った後、該光ディスクを光ディスクドライブから取り出して、上記のように別に用意したプリンターによって印刷されたラベルシートを貼付するなどといった煩雑な作業を行う必要がある。
【０００６】
そこで、前記記録面と反対側の面にレーザー光を使用して表面と背景のコントラストを変化させて表示をさせることができる光記録媒体が提案されている（例えば、特許文献１、特許文献２参照。）。ここで、前記「変化」とは、変色や回折・散乱等による反射率の変化や屈折率変化による反射率変化など、目視でコントラストが得られる変化をいう。このような方法を用いることで、プリンター等を別途用意することなく、光ディスクドライブによって光ディスクのレーベル面に所望の画像記録を行うことができる。
【０００７】
このような光ディスクにおいては、両面側の記録層（符号情報記録層、画像情報記録層）に対しての記録（画像形成）をともにレーザー光を用いて行うため、各記録層がいずれの層なのかを認識しないと、例えば、画像を記録しようとする記録層にデジタル情報（符号情報）が記録されるなどの誤記録を招くことがある。この問題は、両面側ともに符号情報を記録する記録層を有し、各記録層の構成又は記録材料が裏表において異なる光ディスクにおいても起こり得る。
【特許文献１】特開２００３−２７２２４０号公報
【特許文献２】特開２００４−５８４８号公報
【発明の開示】
【発明が解決しようとする課題】
【０００８】
本発明は、以上の従来の問題点に鑑みなされたものであり、以下の目的を達成することを課題とする。即ち、
本発明の目的は、レーザー光の照射により情報が記録される記録層を両面側に有する光記録媒体において、いずれの記録層へも所望の情報（画像）を正しく記録することができる光記録媒体及び記録方法を提供することにある。
【課題を解決するための手段】
【０００９】
前記課題を解決する手段は以下の通りである。即ち、
＜１＞  レーザー光の照射により記録される記録層を両面側に有する光記録媒体であって、前記両面側の記録層それぞれに、各記録層に記録するための記録条件に対応する記録条件情報が付与されていて、該記録条件情報がそれぞれの記録層において異なることを特徴とする光記録媒体である。
【００１０】
＜２＞  前記記録条件情報が、マニュファクチャーコード及び／又は記録ストラテジー情報であることを特徴とする前記＜１＞に記載の光記録媒体である。
【００１１】
＜３＞  前記両面側の記録層のうちの一方の記録層が符号情報を記録する符号情報記録層であり、他方の記録層が視認可能な画像情報を記録する画像情報記録層であることを特徴とする前記＜１＞または＜２＞に記載の光記録媒体である。
【００１２】
＜４＞  前記両面側の記録層のいずれもが、符号情報を記録する符号情報記録層であることを特徴とする前記＜１＞または＜２＞に記載の光記録媒体である。
【００１３】
＜５＞  前記両面側の符号情報記録層の構成又は記録材料が各面側において異なることを特徴とする前記＜４＞に記載の光記録媒体である。
【００１４】
＜６＞  前記＜１＞から＜５＞のいずれかに記載の光記録媒体への記録方法であって、前記記録層の記録条件情報に対応する記録条件に基づいて各記録層への記録を行うことを特徴とする記録方法である。
【発明の効果】
【００１５】
本発明によれば、レーザー光の照射により情報が記録される記録層を両面側に有する光記録媒体において、いずれの記録層へも所望の情報（画像）を正しく記録することができる光記録媒体及び記録方法を提供することができる。
【発明を実施するための最良の形態】
【００１６】
本発明の光記録媒体は、レーザー光の照射により記録される記録層を両面側に有する光記録媒体であって、前記両面側の記録層それぞれに、各記録層に記録するための記録条件に対応する記録条件情報が付与されていて、該記録条件情報がそれぞれの記録層において異なることを特徴としている。
以下、本発明の光記録媒体について説明する。
【００１７】
本発明の光記録媒体の種類としては、追記型、書換え可能型等のいずれでもよいが、追記型であることが好ましい。また、記録形式としては、相変化型、光磁気型、色素型等、特に制限されないが、色素型であることが好ましい。
【００１８】
本発明の光記録媒体の層構成としては、例えば、以下の構成が挙げられる。
（１）第１の層構成は、第１の基板上に、記録層、反射層、接着層を順次形成し、接着層上に記録層、第２の基板を設ける構成である。
（２）第２の層構成は、第１の基板上に、記録層、反射層、保護層、接着層を順次形成し、接着層上に記録層、第２の基板を設ける構成である。
（３）第３の層構成は、第１の基板上に、記録層、反射層、保護層、接着層、保護層を順次形成し、該保護層上に記録層、第２の基板を設ける構成である。
（４）第４の層構成は、第１の基板上に、記録層、反射層、保護層、接着層、保護層、反射層を順次形成し、該反射層上に記録層、第２の基板を設ける構成である。
（５）第５の層構成は、第１の基板上に、記録層、反射層、接着層、反射層を順次形成し、該反射層上に記録層、第２の基板を設ける構成である。
（６）第６の層構成は、第１の基板上に、記録層、反射層、保護層を順次形成し、該保護層上に、保護層、反射層、記録層、第２の基板を設ける構成である。
なお、上記（１）〜（６）の層構成は単なる例示であり、当該層構成は上述の順番のみでなく、一部を入れ替えてもよい。また、一部を省略してもかまわない。さらに、各層は１層で構成されても複数層で構成されてもよい。また、以下の説明において、第１の基板と第２の基板とを総称して、単に基板という場合がある。
また、上記層構成における記録層は、符号情報を記録する符号情報記録層であっても、視認可能な画像情報を記録する画像情報記録層であってもよい。具体的には、一方の面側が符号情報記録層で、他方の面側が画像情報記録層である形態、あるいは両面側とも符号情報記録層である形態が挙げられる。
以下、基板及び各層について説明する。
【００１９】
＜記録層＞
本発明の光記録媒体においては、記録層は、前述の通り、符号情報記録層と画像情報記録層とがあり、まず最初に符号情報記録層について説明する。
［符号情報記録層］
符号情報記録層は、デジタル情報などの符号情報（コード化情報）が記録される層であり、色素型、追記型、相変化型、光磁気型等が挙げられ、特に制限はないが、色素型であることが好ましい。
【００２０】
色素型の符号情報記録層に含有される色素の具体例としては、シアニン色素、オキソノール色素、金属錯体系色素、アゾ色素、フタロシアニン色素等が挙げられる。
また、特開平４−７４６９０号公報、特開平８−１２７１７４号公報、同１１−５３７５８号公報、同１１−３３４２０４号公報、同１１−３３４２０５号公報、同１１−３３４２０６号公報、同１１−３３４２０７号公報、特開２０００−４３４２３号公報、同２０００−１０８５１３号公報、および同２０００−１５８８１８号公報等に記載されている色素が好適に用いられる。
さらに、記録物質は色素には限定されず、トリアゾール化合物、トリアジン化合物、シアニン化合物、メロシアニン化合物、アミノブタジエン化合物、フタロシアニン化合物、桂皮酸化合物、ビオロゲン化合物、アゾ化合物、オキソノールベンゾオキサゾール化合物、ベンゾトリアゾール化合物等の有機化合物も好適に用いられる。これらの化合物の中では、シアニン化合物、アミノブタジエン化合物、ベンゾトリアゾール化合物、フタロシアニン化合物が特に好ましい。
【００２１】
符号情報記録層の形成は、蒸着、スパッタリング、ＣＶＤ、又は溶剤塗布等の方法によって行うことができるが、溶剤塗布が好ましい。この場合、前記色素等の他、更に所望によりクエンチャー、結合剤などを溶剤に溶解して塗布液を調製し、次いでこの塗布液を基板表面に塗布して塗膜を形成した後、乾燥することにより行うことができる。この場合、塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【００２２】
塗布液の溶剤としては、酢酸ブチル、乳酸エチル、セロソルブアセテートなどのエステル；メチルエチルケトン、シクロヘキサノン、メチルイソブチルケトンなどのケトン；ジクロルメタン、１，２−ジクロルエタン、クロロホルムなどの塩素化炭化水素；ジメチルホルムアミドなどのアミド；メチルシクロヘキサンなどの炭化水素；ジブチルエーテル、ジエチルエーテル、テトラヒドロフラン、ジオキサンなどのエーテル；エタノール、ｎ−プロパノール、イソプロパノール、ｎ−ブタノール、ジアセトンアルコールなどのアルコール；２，２，３，３−テトラフルオロプロパノールなどのフッ素系溶剤；エチレングリコールモノメチルエーテル、エチレングリコールモノエチルエーテル、プロピレングリコールモノメチルエーテルなどのグリコールエーテル類などを挙げることができる。
上記溶剤は使用する色素の溶解性を考慮して単独で、あるいは二種以上を組み合わせて使用することができる。塗布液中にはさらに酸化防止剤、ＵＶ吸収剤、可塑剤、潤滑剤など各種の添加剤を目的に応じて添加してもよい。
【００２３】
結合剤を使用する場合、該結合剤の例としては、ゼラチン、セルロース誘導体、デキストラン、ロジン、ゴムなどの天然有機高分子物質；およびポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブチラール樹脂、ゴム誘導体、フェノール・ホルムアルデヒド樹脂等の熱硬化性樹脂の初期縮合物などの合成有機高分子を挙げることができる。
【００２４】
符号情報記録層の材料として結合剤を併用する場合、結合剤の使用量は、一般に色素の質量の０．０１倍量〜５０倍量の範囲にあり、好ましくは０．１倍量〜５倍量の範囲にある。
【００２５】
前記塗布液の塗布方法としては、スプレー法、スピンコート法、ディップ法、ロールコート法、ブレードコート法、ドクターロール法、スクリーン印刷法などを挙げることができる。符号情報記録層は単層でも重層でもよい。符号情報記録層の層厚は一般に１０〜５００ｎｍの範囲にあり、好ましくは１５〜３００ｎｍの範囲にあり、より好ましくは２０〜１５０ｎｍの範囲にある。
【００２６】
符号情報記録層には、該符号情報記録層の耐光性を向上させるために、種々の褪色防止剤を含有させることができる。褪色防止剤としては、一般的に、一重項酸素クエンチャーが用いられる。一重項酸素クエンチャーとしては、既に公知の特許明細書等の刊行物に記載のものを利用することができる。その具体例としては、特開昭５８−１７５６９３号、同５９−３１１９４号、同６０−１８３８７号、同６０−１９５８６号、同６０−１９５８７号、同６０−３５０５４号、同６０−３６１９０号、同６０−３６１９１号、同６０−４４５５４号、同６０−４４５５５号、同６０−４４３８９号、同６０−４４３９０号、同６０−５４８９２号、同６０−４７０６９号、同６８−２０９９９５号、特開平４−２５４９２号、特公平１−３８６８０号、及び同６−２６０２８号等の各公報、ドイツ特許３５０３９９号明細書、そして日本化学会誌１９９２年１０月号第１１４１頁などに記載のものを挙げることができる。
【００２７】
前記一重項酸素クエンチャーなどの褪色防止剤の使用量は、通常、色素の質量の０．１〜５０質量％の範囲であり、好ましくは、０．５〜４５質量％の範囲、更に好ましくは、３〜４０質量％の範囲、特に好ましくは５〜２５質量％の範囲である。
【００２８】
相変化型の符号情報記録層を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金、等が挙げられる。なかでも、多数回の書き換えが可能であることから、Ｇｅ−Ｓｂ−Ｔｅ合金、Ａｇ−Ｉｎ−Ｓｂ−Ｔｅ合金が好ましい。
相変化型の符号情報記録層の層厚としては、１０〜５０ｎｍとすることが好ましく、１５〜３０ｎｍとすることがより好ましい
【００２９】
以上の相変化型の符号情報記録層は、スパッタ法、真空蒸着法などの気相薄膜堆積法、等によって形成することができる。
【００３０】
［画像情報記録層］
次いで、画像情報記録層について説明する。画像情報記録層には、文字、図形、絵柄など、ユーザーが所望する視認可能な画像情報（可視情報）が記録される。視認可能な画像情報とは、視覚的に認識可能な画像情報を意味し、文字（列）、絵柄、図形などあらゆる視認可能な情報を含む。例えば、ディスクのタイトル、内容情報、内容のサムネール、関連した絵柄、デザイン的な絵柄、著作権情報、記録日時、記録方法、記録フォーマット等が挙げられる。
【００３１】
前記文字（列）の情報としては、使用可能者指定情報、使用期間指定情報、使用可能回数指定情報、レンタル情報、分解能指定情報、レイヤー指定情報、ユーザ指定情報、著作権者情報、著作権番号情報、製造者情報、製造日情報、販売日情報、販売店または販売者情報、使用セット番号情報、地域指定情報、言語指定情報、用途指定情報、製品使用者情報、使用番号情報等が挙げられる。
【００３２】
画像情報記録層は、レーザー光の照射により、文字、画像、絵柄などの画像情報を視認可能に記録できればよく、その構成材料としては、既述の符号情報記録層において説明した色素を好適に用いることができる。
【００３３】
また、本発明の光記録媒体においては、既述の符号情報記録層の構成成分（色素又は相変化記録材料）と画像情報記録層の構成成分（記録材料）とを同じとしても異ならせてもよいが、符号情報記録層と画像情報記録層とでそれぞれ要求される特性が相違するため、構成成分は異ならせることが好ましい。具体的には、符号情報記録層の構成成分は記録・再生特性が優れるものとし、画像情報記録層の構成成分は記録画像のコントラストが高くなるものとすることが好ましい。特に、色素を用いる場合、画像情報記録層には、記録画像のコントラスト向上の観点から、既述の色素の中でも特に、シアニン色素、フタロシアニン色素、アゾ色素、アゾ金属錯体、オキソノール色素を用いることが好ましい。
また、符号情報記録層と画像情報記録層のうちのいずれか一方が相変化型で、他方が色素型としてもよい。この場合、符号情報記録層が相変化型で、画像情報記録層が色素型であることが好ましい。
【００３４】
画像情報記録層は、前述の色素を溶剤に溶解して塗布液を調製し、該塗布液を塗布することによって形成することができる。溶剤としては既述の符号情報記録層の塗布液の調製に使用する溶剤と同じ溶剤を使用することができる。その他の添加剤、塗布方法など、既述の符号情報記録層と同様にして行うことができる。
【００３５】
画像情報記録層の層厚としては、０．０１〜２００μｍとすることが好ましく、０．０５〜１００μｍとすることがより好ましく、０．１〜５０μｍとすることがさらに好ましい。
【００３６】
本発明の光記録媒体においては、以上の両面側に形成された記録層（符号情報記録層、画像情報記録層）に、各記録層に記録するための記録条件に対応する記録条件情報が付与されていて、該記録条件情報が表裏それぞれの記録層において異なっている。
【００３７】
記録条件情報とは、各記録層に記録するための記録条件に対応する情報で、ランドプリピット（ＬＰＰ）に登録される情報であり、例えば、マニュファクチャーコード、記録ストラテジー情報、最高記録速度情報が挙げられ、中でも、既存の情報をそのまま利用できることから、マニュファクチャーコード、記録ストラテジー情報を好適に使用することができる。マニュファクチャーコードは、メーカー（さらには製品）毎に異なるコードであり、例えば、メーカーを示す情報を含むコードである。
【００３８】
記録ストラテジー情報は、各メーカーの光記録媒体毎に若干異なる最適な記録ストラテジーに対応し最良の状態での記録を実現するための情報である。
ＤＶＤ−Ｒ等の光記録媒体のメーカーでは独自の技術に基づく媒体を供給したり、複数種類の媒体を供給したりしており、最良状態での記録を実現できる最適な記録ストラテジーは、光記録媒体毎に微妙に異なる。そこで、この光記録媒体毎の記録ストラテジーの変動を解消するべく、記録装置を提供する装置メーカーでは、光記録媒体メーカーの各々の光記録媒体に対して最良状態での記録を実現するべく、光記録媒体メーカーの各々の光記録媒体に対する最適な記録ストラテジーを記録装置本体に内蔵させ、光記録媒体に対応する記録ストラテジーによる記録を行うことで、最良状態での記録を実現している。
【００３９】
例えば、記録装置の特性パラメータを複数記憶しておき、光記録媒体の種類を判別してその光記録媒体に対応する特性パラメータ変更を行って装置を作動する作動ソフトウェア（所謂ファームウェア）を、記録装置が備えており、そのファームウェアにより特性パラメータが変更された記録ストラテジーが設定されて、光記録媒体に対応する記録ストラテジーによる記録を行うことで最良状態での記録を実現している。
【００４０】
前記記録条件とは、前述の通り、各記録層の特性に応じて異なる記録のための条件であり、例えば、符号情報記録層に対する記録条件、画像情報記録層に対する記録条件、メーカー毎に異なる記録条件、製品毎に異なる記録条件、記録速度毎に異なる記録条件、等が挙げられる。
【００４１】
本発明の光記録媒体においては、記録層の構成、メーカー、製品などに応じて異なる記録特性に対する記録条件を記録条件情報に対応させて予めテーブル化し、このテーブル情報を記録装置側の記憶手段に記憶させ、記録装置は光記録媒体の記録条件情報を認識し、前記記憶手段のテーブル情報から記録条件を選択して設定し記録を行う。
【００４２】
例えば、一方の面側が符号情報記録層で、他方の面側が画像情報記録層である場合、符号情報記録層、画像情報記録層の記録条件に対応する記録条件情報を異ならせて付与する。つまり、符号情報記録層の記録条件情報は、符号情報記録層の記録条件に対応させ、画像情報記録層の記録条件情報は、画像情報記録層の記録条件に対応させることにより、誤って画像情報記録層に符号情報が記録されるなどの誤記録を防止できるとともに、それぞれの記録層に適した情報を記録することができる。
【００４３】
本発明の光記録媒体は、両面側の記録層のいずれをも符号情報記録層とすることができる。そしてこの場合、両面側の符号情報記録層の構成又は記録材料が異なる構成とすることができる。符号情報記録層の構成が異なる例としては、両面側とも色素型又は相変化型である場合で記録速度が異なる場合、記録材料が異なる例としては、一方の面側が色素型、他方の面側が相変化型である場合がある。そして、いずれの場合であっても、両面側それぞれの符号情報記録層に、異なる記録条件情報を付与する。
【００４４】
例えば、両面側ともに符号情報記録層を設けた光記録媒体の場合で、一方の面側が１〜４倍速対応の符号情報記録層であり、他方の面側が４〜１６倍速対応の符号情報記録層である場合においては、各符号情報記録層の記録速度に対応する記録条件情報を異ならせて付与する。つまり、１〜４倍速対応の符号情報記録層の記録条件情報は、１〜４倍速対応の記録条件に対応し、４〜１６倍速対応の符号情報記録層の記録条件情報は、４〜１６倍速対応の記録条件に対応させることにより、誤記録を防止できるとともに、各記録速度に適した記録をすることができる。
【００４５】
また、一方の面側が色素型の符号情報記録層で、他方の面側が相変化型の符号情報記録層である場合も同様に、各符号情報記録層の記録条件に対応する記録条件情報を異ならせて付与する。つまり、色素型の符号情報記録層の記録条件情報は、色素型の記録条件に対応し、相変化型の符号情報記録層の記録条件情報は、相変化型の記録条件に対応させることにより、誤記録を防止できるとともに、各符号情報記録層に適した記録をすることができる。
【００４６】
本発明の光記録媒体は、以上のいずれの場合であっても、記録条件情報に基づいて各記録層に対して記録をすることにより、誤記録を防止することができ、いずれの記録層へも所望の情報（画像）を正しく記録することができる。さらには、記録層の特性に応じた最適な記録を行うことができる。
【００４７】
［基板（第１の基板、第２の基板）］
本発明の光記録媒体の基板は、従来の光記録媒体の基板として用いられている各種の材料から任意に選択することができる。
基板材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィンおよびポリエステルなどを挙げることができ、所望によりそれらを併用してもよい。
なお、これらの材料はフィルム状としてまたは剛性のある基板として使うことができる。上記材料の中では、耐湿性、寸法安定性および価格などの点からポリカーボネートが好ましい。
【００４８】
基板の厚さは、０．１〜１．２ｍｍとすることが好ましく、０．２〜１．１ｍｍとすることがより好ましい。また、より高い記録密度を達成するために、従来のＣＤ−ＲやＤＶＤ−Ｒに比べて、より狭いトラックピッチのグルーブが形成された基板を用いることが好ましい。この場合、グルーブのトラックピッチは、２００〜４００μｍの範囲にとすることが好ましく、２５０〜３５０ｎｍの範囲とすることがより好ましい。また、グルーブの深さ（溝深さ）は、２０〜１５０ｎｍの範囲とすることが好ましく、５０〜１００ｎｍの範囲とすることがより好ましい。
【００４９】
また、グルーブの溝幅は、５０〜２５０ｎｍの範囲とすることが好ましく、１００〜２００ｎｍの範囲とすることがより好ましい。グルーブの溝傾斜角度は、２０〜８０°の範囲とすることが好ましく、３０〜７０°の範囲とすることがより好ましい。
【００５０】
記録層が設けられる側の基板表面側（グルーブが形成された面側）には、平面性の改善、接着力の向上および記録層の変質防止の目的で、下塗層が設けられてもよい。
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；およびシランカップリング剤などの表面改質剤などを挙げることができる。下塗層は、上記物質を適当な溶剤に溶解または分散して塗布液を調製した後、この塗布液をスピンコート、ディップコート、エクストルージョンコートなどの塗布法により基板表面に塗布することにより形成することができる。
下塗層の層厚は一般に０．００５〜２０μｍの範囲にあり、好ましくは０．０１〜１０μｍの範囲である。
【００５１】
［反射層］
情報の再生時における反射率の向上の目的で、記録層に隣接して反射層が設けられることある。反射層の材料である光反射性物質はレーザー光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉなどの金属及び半金属あるいはステンレス鋼を挙げることができる。これらの物質は単独で用いてもよいし、あるいは二種以上の組合せで、または合金として用いてもよい。これらのうちで好ましいものは、Ｃｒ、Ｎｉ、Ｐｔ、Ｃｕ、Ａｇ、Ａｕ、Ａｌ及びステンレス鋼である。特に好ましくは、Ａｕ金属、Ａｇ金属、Ａｌ金属あるいはこれらの合金であり、最も好ましくは、Ａｇ金属、Ａｌ金属あるいはそれらの合金である。反射層は、例えば、上記光反射性物質を蒸着、スパッタリングまたはイオンプレーティングすることにより基板もしくは記録層の上に形成することができる。反射層の層厚は、一般的には１０〜３００ｎｍの範囲にあり、５０〜２００ｎｍの範囲にあることが好ましい。
【００５２】
［接着層］
接着層は、上記反射層と、基板（第２の基板）との密着性を向上させるために形成される任意の層である。
接着層を構成する材料としては、光硬化性樹脂が好ましく、なかでもディスクの反りを防止するため、硬化収縮率の小さいものが好ましい。このような光硬化性樹脂としては、例えば、大日本インキ化学工業（株）製の「ＳＤ−６４０」、「ＳＤ−３４７」等のＵＶ硬化性樹脂（ＵＶ硬化性接着剤）を挙げることができる。また、接着層の厚さは、弾力性を持たせるため、１〜１０００μｍの範囲が好ましく、５〜５００μｍの範囲がより好ましく、１０〜１００μｍの範囲が特に好ましい。
【００５３】
［第２の基板］
第２の基板（保護基板）は、前述の基板と同じ材質のものを使用することができる。
【００５４】
以下に、他の構成で採用される保護層について説明する。
（保護層）
反射層や記録層などを物理的および化学的に保護する目的で保護層が設けられることある。
なお、ＤＶＤ−Ｒ型の光記録媒体の製造の場合と同様の形態、すなわち二枚の基板（一方がダミー基板の場合を含む）を記録層を内側にして貼り合わせる構成をとる場合は、必ずしも保護層の付設は必要ではない。
【００５５】
保護層に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。保護層は、例えば、プラスチックの押出加工で得られたフィルムを接着剤を介して反射層上にラミネートすることにより形成することができる。あるいは真空蒸着、スパッタリング、塗布等の方法により設けられてもよい。
【００５６】
また、熱可塑性樹脂、熱硬化性樹脂の場合には、これらを適当な溶剤に溶解して塗布液を調製した後、この塗布液を塗布し、乾燥することによっても形成することができる。ＵＶ硬化性樹脂の場合には、この塗布液を塗布し、ＵＶ光を照射して硬化させることによっても形成することができる。これらの塗布液中には、更に帯電防止剤、酸化防止剤、ＵＶ吸収剤等の各種添加剤を目的に応じて添加してもよい。保護層の層厚は一般には０．１μｍ〜１ｍｍの範囲にある。
【００５７】
［記録方法］
本発明の記録方法は、前記本発明の光記録媒体への記録方法であって、前記記録層の記録条件情報に対応する記録条件に基づいて各記録層への記録を行うことを特徴としている。前述の本発明の光記録媒体は、一方の面側が符号情報記録層で、他方の面側が画像情報記録層である形態、あるいは両面側とも符号情報記録層である形態が挙げられるが、まず、光記録媒体の一方の面側が符号情報記録層で、他方の面側が画像情報記録層である形態における記録方法について詳述する。
【００５８】
本発明の記録方法において、光記録媒体の画像情報記録層への画像の記録、及び符号情報記録層への符号情報の記録は、両層への記録機能を有する１つの光ディスクドライブ（記録装置）で行っても、符号情報記録層への記録専用の記録装置と、画像情報記録層への記録専用の記録装置との双方を用いそれぞれ別々に行ってもよい。いずれの場合でも、画像情報記録層及び符号情報記録層のいずれか一方の層への記録を行った後、裏返して他方の層に記録を行うことができる。画像情報記録層への可視画像の記録をする機能を有する光ディスクドライブとしては、例えば、特開２００３−２０３３４８号公報、特開２００３−２４２７５０号公報等に記載されている。
【００５９】
また、本発明の記録方法に使用する記録装置としては、例えば、前記記録機能の他に、光記録媒体に予め記録されている記録条件情報（マニュファクチャーコード、記録ストラテジー情報）を、レーザー光を使用して認識する機能と、該記録条件情報に対応する記録条件の対応情報を記憶する記憶手段と、認識した記録条件情報から、前記記憶手段の対応情報に基づいて記録条件を設定する機能とを有する構成とし、次のようにして記録する。すなわち、画像情報記録層への可視画像の記録に際しては、記録装置は、光記録媒体に記録されている記録条件情報を認識し、認識した記録条件情報が画像情報記録層に対応するものであれば、前記記憶手段から画像情報記録層に対する記録条件を選択、設定し、その記録条件で記録を行う。
【００６０】
画像情報記録層への可視画像の記録は、前記光記録媒体とレーザーピックアップとを、光記録媒体の面に沿って径方向に相対移動させ、該相対移動に同期してレーザー光を、画像形成しようとする文字、絵等の画像データに応じて変調して画像情報記録層に向けて照射して行う。このような構成は、例えば、特開２００２−２０３３２１号公報等に記載されている。
【００６１】
一方、符号情報記録層への符号画像の記録に際しては、記録装置は、光記録媒体に記録されている記録条件情報を認識し、認識した記録条件情報が符号情報記録層に対応するものであれば、前記記憶手段から符号情報記録層に対する記録条件を選択、設定し、その記録条件で記録を行う。
符号情報記録層への符号情報の記録に際し、記録装置は、回転させた状態の光記録媒体の符号情報記録層に向けてレーザーピックアップからレーザー光を照射して符号情報記録層への記録及び記録された情報の再生を行う。このような記録装置の構成自体は周知である。
【００６２】
レーザー光の記録波形は、１つのピットの形成する際には、パルス列でも１パルスでもかまわない。実際に記録しようとする長さ（ピットの長さ）に対する割合が重要である。
レーザー光のパルス幅としては、実際に記録しようとする長さに対して２０〜９５％の範囲が好ましく、３０〜９０％の範囲がより好ましく、３５〜８５％の範囲が更に好ましい。ここで、記録波形がパルス列の場合には、その和が上記の範囲にあることを指す。
【００６３】
レーザー光のパワーとしては、記録線速度によって異なるが、記録線速度が３．５ｍ／ｓの場合、１〜１００ｍＷの範囲が好ましく、３〜５０ｍＷの範囲がより好ましく、５〜２０ｍＷの範囲が更に好ましい。また、記録線速度が２倍になった場合には、レーザー光のパワーの好ましい範囲は、それぞれ２1/2倍となる。
【００６４】
また、記録密度を高めるために、ピックアップに使用される対物レンズのＮＡは０．５５以上が好ましく、０．６０以上がより好ましい。
【００６５】
本発明においては、記録光として３５０〜８５０ｎｍの範囲の発振波長を有する半導体レーザーを用いることができる。
【００６６】
一方、符号情報記録層が相変化型の場合について説明する。相変化型の場合は、前述の材質から構成され、レーザー光の照射によって結晶相と非晶相との相変化を繰り返すことができる。
情報記録時は、集中したレーザー光パルスを短時間照射し、相変化記録層を部分的に溶融する。溶融した部分は熱拡散により急冷され、固化し、非晶状態の記録マークが形成される。また、消去時には、記録マーク部分にレーザー光を照射し、符号情報記録層の融点以下、結晶化温度以上の温度に加熱し、かつ除冷することによって、非晶状態の記録マークを結晶化し、もとの未記録状態に戻す。
【００６７】
次いで、光記録媒体の両面側とも符号情報記録層である形態について説明する。本形態においては、両面側ともに符号情報記録層であるが、既述の本発明の光記録媒体における説明の通り、各面側の構成又は記録材料が異なる。構成が異なる例としては、両面側とも色素型又は相変化型である場合で記録速度が異なる場合、記録材料が異なる例としては、一方の面側が色素型、他方の面側が相変化型である場合がある。そして、いずれの場合であっても、両面側それぞれの符号情報記録層に、異なる記録条件情報が付与されていて、前述の一方の面側が符号情報記録層で、他方の面側が画像情報記録層である形態と同様に、異なる記録条件情報に基づき、該記録条件情報に対応する記録条件で各符号情報記録層に記録する。
【００６８】
以上、本発明の記録方法は、以上のいずれの場合であっても、記録条件情報に基づいて各記録層に対して記録をするため、誤記録を防止することができ、いずれの記録層へも所望の情報（画像）を正しく記録することができる。さらには、記録層の特性に応じた最適な記録を行うことができる。
【実施例】
【００６９】
次に、実施例により本発明をさらに詳細に説明するが、本発明は以下の実施例に限定されるものではない。
【００７０】
［実施例１］
本実施例は、２枚のディスクを貼り合わせてなるＤＶＤ−Ｒ型の光記録媒体である。以下に、該光記録媒体の作製方法を説明する。
射出成形にて、ポリカーボネート樹脂から、スパイラル状（螺旋状）のグルーブ（深さ：１３０ｎｍ、幅３００ｎｍ、トラックピッチ：０．７４μｍ）を有する厚さ０．６ｍｍ、直径１２０ｍｍの基板を成形した。下記色素Ａ０．７５ｇと下記色素Ｂ０．５０ｇとを２，２，３，３−テトラフルオロ−１−プロパノール１００ｍｌに溶解して塗布液（１）を調製し、この塗布液（１）をスピンコート法により上記基板のグルーブが形成された面上に塗布し、符号情報記録層を形成した。次に、符号情報記録層上に銀をスパッタして膜厚１２０ｎｍの反射層を形成した後、紫外線硬化樹脂（ＳＤ３１８（大日本インキ化学工業（株）製）をスピンコート法により塗布した後、紫外線を照射して硬化し、層厚１０μｍの保護層を形成した。以上の工程により、第１のディスクを作製した。
【００７１】
【化１】
2006040348.tif 000002
【００７２】
次に、前記色素Ａ０．７５ｇと下記色素Ｃ０．５０ｇとを、２，２，３，３−テトラフルオロ−１−プロパノール１００ｍｌに溶解した塗布液（２）を調製し、この塗布液（２）を、スパイラル状（螺旋状）のトラッキング用の溝（深さ：１３０ｎｍ、幅３００ｎｍ、ピッチ：０．７４μｍ）を有する厚さ０．６ｍｍ、直径１２０ｍｍの基板上にスピンコートにて塗布し画像情報記録層を形成した。次に、画像情報記録層上に銀をスパッタして膜厚１２０ｎｍの反射層を形成した後、紫外線硬化樹脂（ＳＤ３１８（大日本インキ化学工業（株）製）をスピンコート法により塗布した後、紫外線を照射して硬化し、層厚１０μｍの保護層を形成した。以上の工程により、第２のディスクを作製した。なお、第２のディスクに登録されているＬＰＰ（ランドプリピット）の登録情報（マニュファクチャーコード）は、第１のディスクに登録されている情報（マニュファクチャーコード）と異なる情報とした。
【００７３】
【化２】
2006040348.tif 000003
【００７４】
次いで、前記第１のディスクと前記第２のディスクとを貼り合せて、１枚の光ディスクとして完成させるため、次のような工程を経た。まず、両方のディスクの保護層上に遅効性カチオン重合型接着剤（ソニーケミカル（株）社製、ＳＤＫ７０００）をスクリーン印刷によって印刷した。このとき、スクリーン印刷の印刷版のメッシュサイズは３００メッシュのものを使用した。次に、メタルハライドランプを使用し紫外線照射した直後、第１のディスクと第２のディスクとをそれぞれの保護層側から貼り合わせ、両面から押圧し５分間放置し、実施例１の光記録媒体を作製した。
【００７５】
［比較例１］
実施例１の第１のディスクと第２のディスクの貼り合わせにおいて、第２のディスクの代わりに第１のディスクを用いたこと以外は実施例１と同様にして比較例１の光記録媒体を作製した。つまり、比較例１の光記録媒体は、第１のディスク２枚を貼り合せてなり、両面側に符号情報記録層を有し、マニュファクチャーコードが両面側において同じである。
【００７６】
［評価］
まず、ディスクドライブ装置（パルステック工業（株）製、ＤＤＵ１０００）のファームウェアを改造し、各記録層のＬＰＰのマニュファクチャーコードを読み取り、このマニュファクチャーコードに基づいて記録条件を設定する構成とした。すなわち、ファームウェアには、符号情報記録層及び画像情報記録層それぞれのマニュファクチャーコード、及び各マニュファクチャーコードに対応する記録条件（つまり、符号情報記録層及び画像情報記録層それぞれに最適な記録条件）がテーブル化され記録されている。
【００７７】
前記ディスクドライブ装置を用い、実施例１と比較例１の光記録媒体の画像情報記録層に画像記録を行うとともに、画質について目視評価を行った。また、画像情報記録層に符号情報記録層に記録すべき情報が誤記録されるかを確認した。
【００７８】
【表１】
2006040348.tif 000004
【００７９】
表１より、比較例１では、マニュファクチャーコードが不適切であるため画質が不良であり、かつ画像情報記録層への誤記録が発生したことが分かる。これに対し、実施例１では、画像品質も良好で、画像情報記録層への誤記録の発生もなかった。